(57)【要約】【課題】巻取り速度を上げつつ線条体を巻き取るボビンの切り替え時における線叩きの発生を確実に防止し、高い歩留まりを確保することができる線条体の巻取り方法及び巻取り装置を提供する。【解決手段】第１のボビン２ａで線条体１の巻取りを終了した後、線条体１の走行を中断することなく引き続き第２のボビン２ｂで線条体１を巻取る方法であって、第１のボビン２ａと第２のボビン２ｂとの間に配した駆動ローラ７と押さえ部材６ａ，６ｂとによって第１のボビン２ａで巻取る線条体１の巻取り終了部分を引取り、駆動ローラ７と押さえ部材６ａ，６ｂとによって引取られた線条体１を吸引ノズル８ａによって吸引するとともに、駆動ローラ７と押さえ部材６ａ，６ｂとによって引取られた線条体１の出射方向延長上に遮蔽板１１ａを配置する。【選択図】図５
2011255997.tif 000002
【特許請求の範囲】
【請求項１】
第１のボビンで線条体の巻取りを終了した後、線条体の走行を中断することなく引き続き第２のボビンで線条体を巻取る方法であって、
前記第１のボビンから前記第２のボビンに巻取りを切り替える際に、前記第１のボビンと前記第２のボビンとの間に配した引取り手段によって前記第１のボビンで巻取る線条体の巻取り終了部分を引取り、
前記引取り手段によって引取られた線条体を吸引手段によって吸引するとともに、
前記引取り手段からの線条体の出射方向延長上に遮蔽板を配置することを特徴とする線条体の巻取り方法。
【請求項２】
第１のボビンで線条体の巻取りを終了した後、線条体の走行を中断することなく引き続き第２のボビンで線条体を巻取る装置であって、
前記第１のボビンと前記第２のボビンとの間に配置され、線条体の巻取り終了部分を引取る引取り手段と、
前記引取り手段によって引取られた線条体を吸引して収容する吸引手段と、
前記引取り手段からの線条体の出射方向延長上に配置される遮蔽板と、を備えていることを特徴とする線条体の巻取り装置。
【発明の詳細な説明】
【技術分野】
【０００１】
本発明は、光ファイバ、電線等の線条体の巻取りに関し、特に線条体の巻取りを切り替える際の切断部分を処理する線条体の巻取り方法及び巻取り装置に関するものである。
【背景技術】
【０００２】
従来、光ファイバ、電線等の線条体の製造で、連続的に高速で送られてくるこれらの線条体を巻取りボビンで巻取る場合、所定量の巻取りを終えて満巻きされた巻取りボビン（第１のボビンとする）から新しく巻取りを開始する空の巻取りボビン（第２のボビンとする）に、線条体の走行を中断することなく切り替えることが行なわれている。
【０００３】
このような巻取り装置としては、第１のボビンと第２のボビンとの間に配した引取り手段によって第１のボビンで巻取る線条体の終了部分を引取り、続いて、満巻きされた第１のボビン又はその近傍に設けられた係止爪に線条体を係止して切断することにより、第１のボビンの線条体の巻き終端が振れ回って第１のボビンに巻き取られた線条体を損傷させるような不具合を防止し、また、引取り手段によって引取られる線条体を吸引ノズルで吸引し、引取られる線条体が第１のボビンに巻き取られた線条体に接触して損傷させるような不具合を防止する技術が知られている（例えば、特許文献１参照）。
【先行技術文献】
【特許文献】
【０００４】
【特許文献１】特開２００５−２１９８５５号公報
【発明の概要】
【発明が解決しようとする課題】
【０００５】
ところで、処理の更なる迅速化のため、巻取り速度を上げることが要求されているが、巻取り速度を上げると、引取り手段による線条体の引取り速度も上げる必要が生じる。
【０００６】
すると、ボビンの切り替え時に、引取り手段による線条体の引取り速度に対して、吸引ノズルでの線条体の吸引が追い付かず、吸引ノズルから線条体が飛び出して浮遊してしまったり、あるいは、線条体の吸引が全く追いつかずに、線条体が浮遊してしまったりする。そして、この浮遊する線条体が、巻き取りが完了して減速途中のボビンに巻き取られた線条体表面を叩く、線叩きが生じてしまうおそれがあった。線叩きが生じると、その叩かれた部分は廃却せざるを得ず、線条体の廃却長が多くなり、歩留まりが低下してしまう。
【０００７】
本発明の目的は、巻取り速度を上げつつ線条体を巻き取るボビンの切り替え時における線叩きの発生を確実に防止し、高い歩留まりを確保することができる線条体の巻取り方法及び巻取り装置を提供することにある。
【課題を解決するための手段】
【０００８】
上記課題を解決することのできる本発明の線条体の巻取り方法は、第１のボビンで線条体の巻取りを終了した後、線条体の走行を中断することなく引き続き第２のボビンで線条体を巻取る方法であって、
前記第１のボビンから前記第２のボビンに巻取りを切り替える際に、前記第１のボビンと前記第２のボビンとの間に配した引取り手段によって前記第１のボビンで巻取る線条体の巻取り終了部分を引取り、
前記引取り手段によって引取られた線条体を吸引手段によって吸引するとともに、
前記引取り手段からの線条体の出射方向延長上に遮蔽板を配置することを特徴とする。
【０００９】
また、本発明の線条体の巻取り装置は、第１のボビンで線条体の巻取りを終了した後、線条体の走行を中断することなく引き続き第２のボビンで線条体を巻取る装置であって、
前記第１のボビンと前記第２のボビンとの間に配置され、線条体の巻取り終了部分を引取る引取り手段と、
前記引取り手段によって引取られた線条体を吸引して収容する吸引手段と、
前記引取り手段からの線条体の出射方向延長上に配置される遮蔽板と、を備えていることを特徴とする。
【発明の効果】
【００１０】
本発明によれば、第１のボビンへの巻取り終了後、引取り手段によって引取られる線条体を吸引手段によって吸引するとともに、引取り手段からの線条体の出射方向延長上に遮蔽板を配置するので、引取り手段による線条体の引取り速度が速く、吸引手段での線条体の吸引が追い付かなくなって線条体が吸引手段から飛び出して浮遊したり、あるいは、線条体の吸引が全く追いつかずに、線条体が浮遊してしまったりする状態となっても、引取り手段によって引取られた線条体が遮蔽板にぶつかり、その後、吸引手段へ導かれる。
したがって、引取り手段によって引取られた線条体が、慣性によって回転している第１のボビンに巻き取られた線条体に接触することが防止される。これにより、巻取り速度を上げつつ第１のボビンに巻き取られた線条体に対する線叩きの発生を確実に防止することができ、高い歩留まりを確保することができる。
【図面の簡単な説明】
【００１１】
【図１】本発明に係る実施形態の例を示す図であって、第１のボビンでの巻取り中の状態を示す図である。
【図２】第１のボビンから第２のボビン側に巻取りを切り替えるべく、ガイドローラを第２のボビン側に移動させた状態を示す図である。
【図３】線条体の引取り状態を示す図である。
【図４】第１のボビン側の線条体を切断し、第２のボビン側の巻取りを準備する状態を示す図である。
【図５】引取られた線条体が遮蔽板にぶつかる様子を示す図である。
【図６】第２のボビンによる巻取りが開始される状態を示す図である。
【発明を実施するための形態】
【００１２】
以下、本発明に係る線条体の巻取り方法及び巻取り装置の実施の形態の例を、図面を参照して説明する。
なお、本発明の説明に際して、図の左側に示す巻取りユニットに配されたボビンを第１のボビン２ａとし、右側に示す巻取りユニットに配されたボビンを第２のボビン２ｂと仮定して説明するが、第１，第２の称呼は、構成を明確にするために付するものであり、左右の巻取りユニットを入れ替えて使用してもよいものである。また、第１のボビン２ａ側のユニットに関連する構成には（ａ）の符号を付け、第２のボビン２ｂ側のユニットに関連する構成には（ｂ）の符号を付けて説明する。
【００１３】
本実施形態の線条体の巻取り方法及び巻取り装置は、光ファイバ、細径の電線またはケーブル等の線条体１を、第１のボビン２ａと第２のボビン２ｂとを交互に切り替えて、線条体１を途中で切断せずに、連続的に高速で巻取ることができるものである。本実施形態の巻取り装置は、引取り手段、係止手段、切断手段、吸引手段及び遮蔽手段を備えている。
【００１４】
引取り手段としては、例えば、図１に示すように、第１のボビン２ａと第２のボビン２ｂとの間に、駆動ローラ７と、押さえ部材６ａ，６ｂとからなる構成のものを用いることができる。この引取り手段は、ローラ表面の摩擦力により線条体１を引取るものであり、押さえ部材６ａ又は６ｂを駆動ローラ７側に変位させ、駆動ローラ７の表面に線条体１を押し付け、ローラ表面の摩擦力で線条体１を何れかの方向に引取る。なお、この引取り手段としては、駆動ローラの回転制御により線条体１を所定の線速で引取れる構成のものであればよく、特に図に示した構成のものに限定されない。
【００１５】
係止手段としては、第１及び第２のボビン２ａ，２ｂに対して、線条体１の巻始端又は巻終端を係止して、巻取りの開始及び終了が実行できる構成であればよい。例えば、この係止手段は、第１及び第２のボビン２ａ，２ｂの少なくとも一方の側に取り外し可能に爪ホイール５ａ，５ｂを取り付け、ボビンと一緒に回転する構成を用いることができる。爪ホイール５ａ，５ｂには、線条体１を掴んで係止することが可能な係止爪１０ａ，１０ｂを設け、ボビンの回転で線条体１を引っ掛けて止めるようにする。
【００１６】
線条体１の切断手段としては、図ではカッター９ａ，９ｂとして簡略に示したが各種形状のものを用いることができる。この切断手段は、線条体１の巻始端又は巻終端を係止手段に係止させることに連動して、切断操作が実行される。また、切断された端末線の長さができるだけ短くなるように、線条体１の巻始端又は巻終端の近傍を切断するように配置されるのが望ましい。
【００１７】
吸引手段は、引取り手段によって引取られた線条体１を収納する吸引ノズル８ａ，８ｂからなるものである。吸引手段により、例えば、引取られた線条体１が設備の周辺に散らかったり絡み付いたりすることがなく、廃棄処理のための手間が少なくて済む。
【００１８】
遮蔽手段は、平板からなる遮蔽板１１ａ，１１ｂであり、それぞれ駆動ローラ７及び押さえ部材６ａ，６ｂからなる引取り手段と、第１のボビン２ａ及び第２のボビン２ｂとの間に配置されている。これらの遮蔽板１１ａ，１１ｂは、駆動ローラ７と押さえ部材６ａ，６ｂとによって引取られた線条体１の、引取り手段からの出射方向延長上にあたる遮蔽位置と、この遮蔽位置から上方及び外方に外れた退避位置との間で移動される。遮蔽位置とは、引取り手段で引き取った線条体がボビンに当たることを遮るために、押さえ部材６ａの近傍から第１のボビン２ａへと至る間、及び押さえ部材６ｂの近傍から第２のボビン２ｂへと至る間に存在する。さらに遮蔽板１１ａ，１１ｂは、吸引ノズルで吸いきれなかった線条体を遮るために、吸引ノズル８ａと第１のボビン２ａの間、吸引ノズル８ｂと第２のボビン２ｂの間も遮蔽することが好ましい。
【００１９】
次に、本実施形態の線条体の巻取り方法について、巻取りを終了した第１のボビン２ａから、空の第２のボビン２ｂに巻取りを切り替える例を説明する。図１は、第１のボビン２ａでの巻取り中の状態を示す図であり、第１のボビン２ａは時計方向に回転し、線条体１を案内するガイドローラ３は、第１のボビン２ａと第２のボビン２ｂの間にある。線条体１は、第１のボビン２ａとガイドローラ３とを相対的にトラバースさせながら巻取られるが、図では、ガイドローラ３側をトラバースさせずに、第１のボビン２ａ側を軸方向にトラバースさせる例で示してある。この例は、線条体の振れが少なく高速で巻取る場合に適するとされている。なお、第１のボビン２ａ側を移動させずに、ガイドローラ３側をトラバースさせる構成であってもよい。
【００２０】
図２は、第１のボビン２ａ上の巻線体が満巻され、又は巻取りが終了とされ、第２のボビン２ｂ側に巻取りを切り替えるべく、ガイドローラ３を空の第２のボビン２ｂ側に移動させた状態を示している。ガイドローラ３を第２のボビン２ｂ側に移動させることにより、線条体１のパスラインは、駆動ローラ７の表面付近を通り、第２のボビン２ｂの胴部に近接又は接する位置に変わる。この段階で駆動ローラ７を反時計方向に回転させ、また、第２のボビン２ｂを反時計方向に回転させる。しかし、未だ、押さえ部材６ａ，６ｂは駆動ローラ７から離れた位置にあり、線条体１の引取り動作は開始されていない。したがって、線条体１のパスラインが変化しただけで、第１のボビン２ａによる巻取りが依然として続いている。
【００２１】
図３は、左側の押さえ部材６ａを駆動ローラ７側に変位させ、駆動ローラ７の表面に線条体１を押し付けた状態を示す。この段階で、引取り手段が動作し、ローラ表面の摩擦力で線条体１を左側方向に引取る。第１のボビン２ａが回転している場合、引取られた線条体１は、そのまま第１のボビン２ａで巻取られる。
【００２２】
また、この時点で、左側の遮蔽板１１ａを、退避位置から遮蔽位置へ移動させ、駆動ローラ７と押さえ部材６ａ，６ｂとによって引取られて線条体１が出射される方向の延長上に配置させる。
【００２３】
図４は、第１のボビン２ａ側で線条体１を切断する状態を示している。線条体１が駆動ローラ７と押さえ部材６ａにより引取られると共に、第１のボビン２ａでの巻取りが継続されている状態で、駆動ローラ７と押さえ部材６ａは、線条体１の引取りを行ないながら矢印Ｅ方向に移動される。この駆動ローラ７と押さえ部材６ａの移動により、ガイドローラ３との間のパスラインが変化し、線条体１を第１のボビン２ａの爪ホイール５ａに接するようにすることができる。爪ホイール５ａを線条体１に接する状態とすることにより、爪ホイール５ａ上の係止爪１０ａで線条体１を掴むことが可能となる。なお、爪ホイール５ａ上の係止爪１０ａには、既に線条体１の巻始端を係止しているが、更に巻終端も係止可能に形成されていることが望ましい。係止爪を巻始端用と巻終端用で別々に設ける構成としてもよい。
【００２４】
その状態で、爪ホイール５ａ上の係止爪１０ａで線条体１を掴むと、第１のボビン２ａの回転により、線条体１は係止爪１０ａと共に移動して引っ張られ、カッター９ａに当たって切断される。切断された線条体１の端末線１ａは、係止爪１０ａで掴まれた部分からの長さが極めて短く、第１のボビン２ａの回りを振れ回るには至らず、また、これにより巻線体上を叩くこともない。したがって、回転状態で線条体１を切断しても、これによる線叩きは発生しない。そして、線条体１を切断した後に、第１のボビン２ａの回転を停止すべく電源をオフとすればよい。しかし、第１のボビン２ａの回転は、慣性によって電源オフから完全停止まで多少回転が継続されるので、線条体１が切断される少し前の状態で、電源オフとしてもよい。
【００２５】
ここで、線条体１が第１のボビン２ａ側で切断された後においても、線条体１は駆動ローラ７と押さえ部材６ａにより、継続して引取られる。なお、引取られた線条体１は、吸引ノズル８ａを用いた吸引手段により吸引させる。これにより、線条体１の走行は中断されることなく所定の線速を維持して継続させることができる。なお、吸引された線条体１は、吸引ノズル８ａ，８ｂの下方に設置した吸引ボックス等に収納されるようにして、周囲に飛び散ったりしないようにするのが好ましい。
【００２６】
この際、駆動ローラ７と押さえ部材６ａ，６ｂとによる線条体１の引取り速度が速く、吸引ノズル８ａでの線条体１の吸引が追い付かなくなると、駆動ローラ７と押さえ部材６ａ，６ｂとによって引取られた線条体１が吸引ノズル８ａから飛び出して浮遊してしまったり、あるいは、線条体の吸引が全く追いつかずに、線条体が浮遊してしまったりする。
【００２７】
しかしながら、このとき、図５に示すように、駆動ローラ７と押さえ部材６ａ，６ｂとによって引取られた線条体１が出射される方向の延長上の遮蔽位置に遮蔽板１１ａが配置されているので、駆動ローラ７と押さえ部材６ａ，６ｂとによって引取られた線条体１が遮蔽板１１ａにぶつかり、その後、吸引ノズル８ａへ導かれる。
【００２８】
したがって、この駆動ローラ７と押さえ部材６ａ，６ｂとによって引取られた線条体１が慣性によって回転している第１のボビン２ａに巻き取られた線条体１に接触することが防止される。これにより、巻取り速度を上げつつ第１のボビン２ａに巻き取られた線条体１に対する線叩きの発生を確実に防止することができ、高い歩留まりを確保することができる。
【００２９】
なお、遮蔽板を用いなかった従来方法では巻取り速度を上げることによってボビンの切り替え時に約６７％の割合で線叩きが生じていたが、本実施形態では遮蔽板１１ａ，１１ｂを設けたことにより、線叩きの発生が０％となった。
【００３０】
図４の状態または図５の状態から、駆動ローラ７と押さえ部材６ａは、線条体１の引取りを行いながらさらに矢印Ｅ方向に移動される。この状態で、第２のボビン２ｂの回転により爪ホイール５ｂ上の係止爪１０ｂで線条体１を掴むと、第２のボビン２ｂの回転で線条体１が係止爪１０ｂと共に移動して引っ張られ、カッター９ｂにより切断される。これにより、線条体１の始端はフリー状態となって第２のボビン２ｂによる新たな巻取りが開始される。
【００３１】
図６は、線条体１がカッター９ｂにより切断された後、第２のボビン２ｂによる巻取りが開始される状態を示している。一方、カッター９ｂによって切断され、引取り手段により引取られた線条体１は吸引手段に吸引収納され、不要品として廃棄される。
【００３２】
なお、遮蔽手段の遮蔽板１１ａは、第２のボビン２ｂによる新たな巻き取りの開始とともに、駆動ローラ７と押さえ部材６ａ，６ｂとによって引取られた線条体１が出射される方向の延長上の遮蔽位置から上方及び外方に外れた退避位置へ移動される。
【００３３】
以上、左側ユニットの第１のボビン２ａから右側ユニットの第２のボビン２ｂに巻取りを切り替える例を説明したが、右側ユニットの第２のボビン２ｂから左側ユニットの第１のボビン２ａに巻取りを切り替える場合も、逆の動きをして実施することができる。この場合、駆動ローラ７は時計方向に回転されると共に、押さえ部材６ｂとの間で線条体１を挟んで引取ることとなる。また、吸引手段も右側の吸引ノズル８ｂが動作することとなり、遮蔽手段も右側の遮蔽板１１ｂが動作することとなる。
【００３４】
本発明は、線条体が光ファイバ母材から線引きされた光ファイバである場合に、特に効果が大きい。巻き取られた光ファイバに線叩きが生じると、光ファイバの強度が極端に低下してしまうため、線叩きした箇所は廃却しなければならない。本発明によれば、線速を速くしたとしても、巻取りを切り替える際の線叩きを確実に防止できるので、線速を落とさずとも光ファイバの走行を中断することなく巻取りを切り替えることができ、光ファイバの製造効率と歩留まりを向上させることができる。
【符号の説明】
【００３５】
１：線条体、２ａ：第１のボビン、２ｂ：第２のボビン、６ａ，６ｂ：押さえ部材（引取り手段）、７：駆動ローラ（引取り手段）、８ａ，８ｂ：吸引ノズル（吸引手段）、１１ａ，１１ｂ：遮蔽板
【図１】
2011255997.tif 000003
【図２】
2011255997.tif 000004
【図３】
2011255997.tif 000005
【図４】
2011255997.tif 000006
【図５】
2011255997.tif 000007
【図６】
2011255997.tif 000008